(57)【要約】      （修正有）【課題】外筒の強度が低下したり、外観が悪くなったりするということがなく、係合具が設けられた内筒を回動するという簡単な操作で、長さを調整できること。【解決手段】支柱は外筒３と内筒４から成り、支持具に支柱の上端を取り付け、支柱の下端には物干竿を掛ける掛具を取り付ける。内筒４の上端部には、一対の係合具６・６を設ける。係合具６・６は、断面Ｌ字状で１８０度点対称に配置して、下端を取付具１１に固定し、上端を案内具１０に固定し、下端の取付具１１を内筒４の上端に取り付ける。一対の係合具６と係合具６は、間隔を空けて配置し、その間を係止具８の移動路とする。係合具６・６には、係合部７がそれぞれ３箇所に設けられ、係止具８に係止されることにより、支柱の長さを調整可能とする。【選択図】図２
2005304577.tif 000002
【特許請求の範囲】
【請求項１】
支持具に取り付けられる支柱が、上部の外筒に対して下部の内筒を上下移動可能に設けられて、長さが調整可能である物干竿等の支持装置において、内筒の上部には、外筒の内部を上下に移動する係合具を設け、係合具には、複数の係合部を設け、外筒には、係合部が係合可能な係止具を設けて成り、内筒上部の係合具を回動及び上下に移動することによって、係合部を係止具に係合・離脱することができるように成し、支柱の長さを調整可能に構成したことを特徴とする物干竿等の支持装置。
【発明の詳細な説明】
【技術分野】
【０００１】
本発明は、ベランダ下の天井面等に取り付けて物干竿等を支持する支持装置であって、支柱の長さを調整可能に構成した物干竿等の支持装置に関するものである。
【背景技術】
【０００２】
従来より、実開昭６３−１２５９９２号考案のように、外筒に案内兼固定のための連続する穴を設け、外筒内部を上下移動する中棒に設けた丸棒を、複数ある固定用の穴のいずれかに固定させるようにして、長さを調整可能にした物干し竿支持具は提案されている。
【特許文献１】実開昭６３−１２５９９２号公報
【発明の開示】
【発明が解決しようとする課題】
【０００３】
上記従来のものにおいては、外筒に案内兼固定のための連続する穴を設けるので、外筒の強度が低下するという問題や、外観が悪くなるという問題があり、本発明は、これら問題を解決することを課題としている。
【課題を解決するための手段】
【０００４】
本発明は、上記の課題を解決するために、支持具に取り付けられる支柱が、上部の外筒に対して下部の内筒を上下移動可能に設けられて、長さが調整可能である物干竿等の支持装置において、内筒の上部には、外筒の内部を上下に移動する係合具を設け、係合具には、複数の係合部を設け、外筒には、係合部が係合可能な係止具を設けて成り、内筒上部の係合具を回動及び上下に移動することによって、係合部を係止具に係合・離脱することができるように成し、支柱の長さを調整可能に構成したものである。
【発明の効果】
【０００５】
従って本発明によれば、複数の係合部を設けた係合具を外筒の内部に設けたので、外筒の強度が低下したり、外観が悪くなったりするということがなく、なおかつ係合具が設けられた内筒を回動して上下に移動するという簡単な操作で、長さを調整することができるという効果がある。
【実施例】
【０００６】
本発明の物干竿等の支持装置は、天井等に取り付けられる支持具１に、支柱２の上端を取り付け、支柱２の下端には、物干竿を掛ける複数の竿受孔１４・・・１４を設けた掛具５を取り付けてある。
【０００７】
支柱２は、上部の外筒３と下部の内筒４とから成り、内筒４の上端部には、一対の係合具６・６を設けてある。係合具６・６は、断面Ｌ字状で図３の［Ｂ］あるいは図４の［Ｂ］に示すように１８０度点対称に配置して、その下端を略円柱状の取付具１１に固定し、上端を円柱状の案内具１０に固定してあり、下端の取付具１１を内筒４の上端に取り付けてある。一対の係合具６と係合具６は、間隔を空けて配置し、その間を移動路１２としてある。
【０００８】
取付具１１及び案内具１０は、外筒の内面に摺接し、内筒４上端の係合具６・６が上下に移動する時にスムーズに動くよう案内するようになっている。
係合具６・６は、断面Ｌ字状の長辺に斜め上方に向かう溝状の係合部７・・・７をそれぞれ３箇所に設けてある。移動路１２の上部には、係合部７・７の方に傾斜する阻止具１３・１３を設けて、後述する係止具８が案内具１０に当たらずに最上方の係合部７・７へガイドされて係止されるようになっている。
【０００９】
外筒３の中間部には孔をあけて、ピン状の係止具８を挿通して設け、この係止具８が抜けないようにその両端を押えるようにリング状のカバー９を被着してある。
【００１０】
外筒３と内筒４を組み立てるには、内筒４上端部の係合具６・６を外筒３の下方から内部に挿入し、外筒３にあけた孔から係止具８を係合具６・６の係合部７・７あるいは移動路１２を貫通するように差し込んで設ける。
【００１１】
係合具６・６に設けられた係合部７・７が係止具８に係止されている状態（図２及び図３の状態）が、使用状態であり、この状態から長さを変更するには、係合具６・６が設けられた内筒４を少し持ち上げながらおよそ７０度回動させ、係合部７・７が係止具８から離脱し、係止具８が移動路１２を貫通する位置（図４の状態）になったら、係合具６・６が取り付けられた内筒４を上又は下に移動させ、他の係合部７・７の位置で、少し下に移動させながら前記と逆方向に回動させ、係合部７・７を係止具８に係止させるようにすればよい。
【００１２】
図６は、係合具と係止具の他の実施例を示すものである。
支柱１５の内筒１７の上端部に設けられる係合具１８は、パイプや棒体に、間隔をあけて４ヶ所にピン状のものを両側に突出するように設けて係合部１９・・・１９を設けてある。最上部の係合部１９だけを他の係合部１９・・・１９より長くしてある。
【００１３】
支柱１５の外筒１６の中間内部には、円柱状の係止具２０を固定してある。係止具２０は、中心に上下に貫通する円形状の通行孔２１を設け、その両側に半円溝状の係止凹溝２２を設け、さらに、係止凹溝２２から９０度変位した位置に上下に貫通する長方形の通過孔２３を設けてある。この通過孔２３は、最上部の係合部１９の長さよりも短く、他の係合部１９・・・１９の長さよりも長くなっている。
【００１４】
係合具１８に設けられた係合部１９が係止具２０の係止凹溝２２に係止されている状態（図６の状態）が、使用状態であり、この状態から長さを変更するには、係合具１８が設けられた内筒１７を少し持ち上げてから９０度回動させ、係合部１９を係止具２０の通過孔２３に位置させるようにする。すると、最上部の係合部１９以外は、この通過孔２３を通過できるので、係合具１８が設けられた内筒１７を上又は下に移動させ、他の係合部１９の位置で、内筒１７を９０度回動させて下に移動すれば、他の係合部１９が係止具２０の係止凹溝２２に係止されることになる。
【００１５】
なお、最上部の係合部１９が長くなっているのは、この係合部１９が通過孔２３を通過して内筒１７が外筒１６から抜け落ちるのを防止するためである。
【図面の簡単な説明】
【００１６】
【図１】全体正面図である。
【図２】要部の一部を切り欠いた状態の斜視図である。
【図３】係合部が係止具に係止されている状態の要部の図面であって、［Ａ］は斜視図、［Ｂ］は横断面図である。
【図４】係合部が係止具に係止されていない状態の要部の図面であって、［Ａ］は斜視図、［Ｂ］は横断面図である。
【図５】係止具部分の縦断面図である。
【図６】他の実施例の要部の一部を切り欠いた状態の斜視図である。
【符号の説明】
【００１７】
１    支持具
２    支柱
３    外筒
４    内筒
６    係合具
７    係合部
８    係止具
１５    支柱
１６    外筒
１７    内筒
１８    係合具
１９    係合部
２０    係止具
【図１】
2005304577.tif 000003
【図２】
2005304577.tif 000004
【図３】
2005304577.tif 000005
【図４】
2005304577.tif 000006
【図５】
2005304577.tif 000007
【図６】
2005304577.tif 000008